(57)【特許請求の範囲】
【請求項１】
無線通信のための方法であって、
ダウンリンク制御チャネルに関連付けられた信号を送信することと、ここで、前記ダウンリンク制御チャネルは、リソース要素（ＲＥ）の少なくとも１つのグループにわたる、ここで、前記ＲＥの少なくとも１つのグループは、ユーザ機器（ＵＥ）の第１のアンテナによって使用されるべき第１の直交リソースを示す、
前記ＵＥの第２のアンテナによって使用されるべき第２の直交リソースをシグナルすることと、ここで、前記第１のアンテナおよび前記第２のアンテナは、アップリンク制御チャネルを介して情報を送信する際、送信ダイバーシティを実行するために使用される、
前記ＵＥが送信ダイバーシティを使用すべきかを、前記ＵＥの送信電力に少なくとも部分的に基づいてシグナルすることと、を備える方法。
【請求項２】
アップリンク制御チャネルに関連付けられた別の信号を受信することをさらに備え、ここで、前記別の信号は、送信ダイバーシティを達成するために、前記第１および第２の直交リソースを用いて、前記ＵＥによって送信される、請求項１に記載の方法。
【請求項３】
前記ＲＥの少なくとも１つのグループは、物理ダウンリンク制御チャネル（ＰＤＣＣＨ）の制御チャネル要素（ＣＣＥ）を備える、請求項１に記載の方法。
【請求項４】
前記送信ダイバーシティを使用するのかを前記ＵＥにシグナルすることは、
前記ＵＥに送信される割当メッセージにスクランブリング符号を適用すること、または
前記ＵＥに送信される割当メッセージに巡回冗長検査（ＣＲＣ）マスキングを適用すること、を備える、請求項１に記載の方法。
【請求項５】
前記送信ダイバーシティを使用するのかを前記ＵＥにシグナルすることは、前記ＵＥによって使用されるべき１または複数の直交リソースを明示的にシグナルすることを備える、請求項１に記載の方法。
【請求項６】
無線通信のための装置であって、
ダウンリンク制御チャネルに関連付けられた信号を送信する手段と、ここで、前記ダウンリンク制御チャネルは、リソース要素（ＲＥ）の少なくとも１つのグループにわたる、ここで、前記ＲＥの少なくとも１つのグループは、ユーザ機器（ＵＥ）の第１のアンテナによって使用されるべき第１の直交リソースを示す、
前記ＵＥの第２のアンテナによって使用されるべき第２の直交リソースをシグナルする手段と、ここで、前記第１のアンテナおよび前記第２のアンテナは、アップリンク制御チャネルを介して情報を送信する際、送信ダイバーシティを実行するために使用される、
前記ＵＥが送信ダイバーシティを使用すべきかを、前記ＵＥの送信電力に少なくとも部分的に基づいてシグナルする手段と、を備える装置。
【請求項７】
アップリンク制御チャネルに関連付けられた別の信号を受信する手段をさらに備え、ここで、前記別の信号は、送信ダイバーシティを達成するために、前記第１および第２の直交リソースを用いて、前記ＵＥによって送信される、請求項６に記載の装置。
【請求項８】
前記ＲＥのグループは、物理ダウンリンク制御チャネル（ＰＤＣＣＨ）の制御チャネル要素（ＣＣＥ）を備える、請求項６に記載の装置。
【請求項９】
前記送信ダイバーシティを使用するのかを前記ＵＥにシグナルする手段は、
前記ＵＥに送信される割当メッセージにスクランブリング符号を適用する手段、または
前記ＵＥに送信される割当メッセージに巡回冗長検査（ＣＲＣ）マスキングを適用する手段、を備える請求項７に記載の装置。
【請求項１０】
前記送信ダイバーシティを使用するのかを前記ＵＥにシグナルする手段は、前記ＵＥによって使用されるべき１または複数の直交リソースを明示的にシグナルする手段を備える、請求項７に記載の装置。
【請求項１１】
無線通信のための装置であって、
ダウンリンク制御チャネルに関連付けられた信号を送信し、ここで、前記ダウンリンク制御チャネルは、リソース要素（ＲＥ）の少なくとも１つのグループにわたる、ここで、前記ＲＥの少なくとも１つのグループは、ユーザ機器（ＵＥ）の第1のアンテナによって使用されるべき第１の直交リソースを示す、
前記ＵＥの第２のアンテナによって使用されるべき第２の直交リソースをシグナルし、ここで、前記第１のアンテナおよび前記第２のアンテナは、アップリンク制御チャネルを介して情報を送信する際、送信ダイバーシティを実行するために使用される、
前記ＵＥが送信ダイバーシティを使用すべきかを、前記ＵＥの送信電力に少なくとも部分的に基づいてシグナルする、ように構成された少なくとも１つのプロセッサと、
前記少なくとも１つのプロセッサに接続されたメモリと、を備える装置。
【請求項１２】
前記少なくとも１つのプロセッサはさらに、アップリンク制御チャネルに関連付けられた別の信号を受信するように構成され、ここで、前記別の信号は、送信ダイバーシティを達成するために、前記第１および第２の直交リソースを用いて、前記ＵＥによって送信される、請求項１１に記載の装置。
【請求項１３】
前記ＲＥのグループは、物理ダウンリンク制御チャネル（ＰＤＣＣＨ）の制御チャネル要素（ＣＣＥ）を備える、請求項１１に記載の装置。
【請求項１４】
前記少なくとも１つのプロセッサはさらに、
前記ＵＥに送信される割当メッセージにスクランブリング符号を適用すること、または
前記ＵＥに送信される割当メッセージに巡回冗長検査（ＣＲＣ）マスキングを適用すること、を実行するように構成された、請求項１１に記載の装置。
【請求項１５】
前記少なくとも１つのプロセッサはさらに、前記ＵＥによって使用されるべき１または複数の直交リソースを明示的にシグナルするように構成された、請求項１１に記載の装置。
【請求項１６】
１または複数のプロセッサによって実行可能な、格納された命令群を有する無線通信のためのコンピュータ読取可能な記憶媒体であって、前記命令群は、
ダウンリンク制御チャネルに関連付けられた信号を送信するための命令群と、ここで、前記ダウンリンク制御チャネルは、リソース要素（ＲＥ）の少なくとも１つのグループにわたる、ここで、前記ＲＥのグループは、ユーザ機器（ＵＥ）の第１のアンテナによって使用されるべき第１の直交リソースを示す、
前記ＵＥの第２のアンテナによって使用されるべき第２の直交リソースをシグナルするための命令群と、ここで、前記第１のアンテナおよび前記第２のアンテナは、アップリンク制御チャネルを介して情報を送信する際、送信ダイバーシティを実行するために使用される、
前記ＵＥが送信ダイバーシティを使用すべきかを、前記ＵＥの送信電力に少なくとも部分的に基づいてシグナルするための命令群と、を備えるコンピュータ読取可能な記憶媒体。
【請求項１７】
前記命令群はさらに、アップリンク制御チャネルに関連付けられた別の信号を受信するための命令群をさらに備え、ここで、前記別の信号は、送信ダイバーシティを達成するために、前記第１および第２の直交リソースを用いて、前記ＵＥによって送信される、請求項１６に記載のコンピュータ読取可能な記憶媒体。
【請求項１８】
前記ＲＥのグループは、物理ダウンリンク制御チャネル（ＰＤＣＣＨ）の制御チャネル要素（ＣＣＥ）を備える、請求項１６に記載のコンピュータ読取可能な記憶媒体。
【請求項１９】
前記送信ダイバーシティを使用するのかを前記ＵＥにシグナルするための命令群はさらに、
前記ＵＥに送信される割当メッセージにスクランブリング符号を適用するための命令群、または
前記ＵＥに送信される割当メッセージに巡回冗長検査（ＣＲＣ）マスキングを適用するための命令群、を備える、請求項１６に記載のコンピュータ読取可能な記憶媒体。
【請求項２０】
前記送信ダイバーシティを使用するのかを前記ＵＥにシグナルするための命令群はさらに、前記ＵＥによって使用されるべき１または複数の直交リソースを明示的にシグナルするための命令群を備える、請求項１６に記載のコンピュータ読取可能な記憶媒体。
【発明の詳細な説明】
【優先権主張】
【０００１】
この特許出願は、本願の譲受人に譲渡され、本明細書において参照によって明確に組み込まれている２００９年７月３１日出願の「送信ダイバーシティを用いた物理アップリンク制御チャネル（ＰＵＣＣＨ）リソース・マッピング」（Physical Uplink Control Channel (PUCCH) Resource Mapping with Transmit Diversity）と題された仮特許出願６１／２３０，６６６号の利益を要求する。
【技術分野】
【０００２】
本開示のある態様は、一般に、無線通信に関し、さらに詳しくは、送信ダイバーシティを用いた制御チャネル・リソース・マッピングのための方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
本開示のある態様は、無線通信のための方法を提供する。この方法は一般に、ダウンリンク制御チャネルに関連付けられた信号を送信することと、ここで、ダウンリンク制御チャネルは、リソース要素（ＲＥ）からなる少なくとも１つのグループにわたる、ここで、ＲＥのグループは、ユーザ機器（ＵＥ）によって使用されるべき第１の直交リソースを示す、ＵＥによって使用されるべき第２の直交リソースをシグナルすることとを含む。
【０００８】
本開示のある態様は、無線通信のための装置を提供する。この装置は一般に、ダウンリンク制御チャネルに関連付けられた信号を送信する手段と、ここで、ダウンリンク制御チャネルは、リソース要素（ＲＥ）からなる少なくとも１つのグループにわたる、ここで、ＲＥのグループは、ユーザ機器（ＵＥ）によって使用されるべき第１の直交リソースを示す、ＵＥによって使用されるべき第２の直交リソースをシグナルする手段とを含む。
【０００９】
本開示のある態様は、無線通信のための装置を提供する。この装置は一般に、ダウンリンク制御チャネルに関連付けられた信号を送信するように構成された送信機と、ここで、ダウンリンク制御チャネルは、リソース要素（ＲＥ）からなる少なくとも１つのグループにわたる、ここで、ＲＥのグループは、ユーザ機器（ＵＥ）によって使用されるべき第１の直交リソースを示す、ＵＥによって使用されるべき第２の直交リソースをシグナルするように構成された回路とを含む。
【００１０】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、ダウンリンク制御チャネルに関連付けられた信号を送信するための命令群と、ここで、ダウンリンク制御チャネルは、リソース要素（ＲＥ）からなる少なくとも１つのグループにわたる、ここで、ＲＥのグループは、ユーザ機器（ＵＥ）によって使用されるべき第１の直交リソースを示す、ＵＥによって使用されるべき第２の直交リソースをシグナルするための命令群とを含む。
【００１１】
本開示のある態様は、無線通信のための装置を提供する。この装置は一般に、ダウンリンク制御チャネルに関連付けられた信号を送信し、ここで、ダウンリンク制御チャネルは、リソース要素（ＲＥ）からなる少なくとも１つのグループにわたる、ここで、ＲＥのグループは、ＵＥによって使用されるべき第１の直交リソースを示す、ユーザ機器（ＵＥ）によって使用されるべき第２の直交リソースをシグナルするように構成された少なくとも１つのプロセッサと、少なくとも１つのプロセッサに接続されたメモリと、を含む。
【００１２】
本開示のある態様は、無線通信のための方法を提供する。この方法は一般に、ダウンリンク制御チャネルに関連付けられた信号を受信することと、ここで、ダウンリンク制御チャネルは、制御シグナリングのために使用されるリソース要素（ＲＥ）の少なくとも１つのグループにわたる、ＲＥのグループに少なくとも部分的に基づいて、少なくとも２つのアンテナからの送信ダイバーシティのために使用される少なくとも２つの直交リソースを決定することとを含む。
【００１３】
本開示のある態様は、無線通信のための装置を提供する。この装置は一般に、ダウンリンク制御チャネルに関連付けられた信号を受信する手段と、ここで、ダウンリンク制御チャネルは、制御シグナリングのために使用されるリソース要素（ＲＥ）の少なくとも１つのグループにわたる、ＲＥのグループに少なくとも部分的に基づいて、少なくとも２つのアンテナからの送信ダイバーシティのために使用される少なくとも２つの直交リソースを決定する手段とを含む。
【００１４】
本開示のある態様は、無線通信のための装置を提供する。この装置は一般に、ダウンリンク制御チャネルに関連付けられた信号を受信するように構成された受信機と、ここで、ダウンリンク制御チャネルは、制御シグナリングのために使用されるリソース要素（ＲＥ）の少なくとも１つのグループにわたる、ＲＥのグループに少なくとも部分的に基づいて、少なくとも２つのアンテナからの送信ダイバーシティのために使用される少なくとも２つの直交リソースを決定するように構成された回路とを含む。
【００１５】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、ダウンリンク制御チャネルに関連付けられた信号をユーザ機器（ＵＥ）へ送信するための命令群と、ここで、ダウンリンク制御チャネルは、リソース要素（ＲＥ）の少なくとも１つのグループにわたる、ここで、ＲＥのグループは、ユーザ機器（ＵＥ）によって使用されるべき第１の直交リソースを示す、ＵＥによって使用されるべき第２の直交リソースをシグナルするための命令群とを含む。
【００１６】
本開示のある態様は、無線通信のための装置を提供する。この装置は、一般に、ダウンリンク制御チャネルに関連付けられた信号を受信し、ここで、ダウンリンク制御チャネルは、制御シグナリングのために使用されるリソース要素（ＲＥ）の少なくとも１つのグループにわたる、ＲＥのグループに少なくとも部分的に基づいて、少なくとも２つのアンテナからの送信ダイバーシティのために使用される少なくとも２つの直交リソースを決定するように構成された少なくとも１つのプロセッサと、少なくとも１つのプロセッサに接続されたメモリと、を含む。
【図面の簡単な説明】
【００１７】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムの例を例示する。
【図２】図２は、本開示のある態様にしたがうアクセス・ポイントおよびユーザ端末のブロック図を例示する。
【図３】図３は、本開示のある態様にしたがって、送信ダイバーシティを用いた物理アップリンク制御チャネル（ＰＵＣＣＨ）リソース・マッピングのためのシステムを例示する。
【図４】図４は、本開示のある態様にしたがって送信ダイバーシティを用いたＰＵＣＣＨリソース・マッピングのための別のシステムを例示する。
【図５】図５は、本開示のある態様にしたがってアクセス・ポイントにおいて実行されうる送信ダイバーシティを用いたＰＵＣＣＨリソース・マッピングの方法を例示する。
【図６】図６は、本開示のある態様にしたがってアクセス・ポイントにおいて実行されうる送信ダイバーシティを用いたＰＵＣＣＨリソース・マッピングの別の方法を例示する。
【図７】図７は、本開示のある態様にしたがってアクセス端末において実行されうるＰＵＣＣＨリソース・マッピングの方法を例示する。
【図８】図８は、本開示のある態様にしたがって送信ダイバーシティを用いたＰＵＣＣＨリソース・マッピングを容易にするシステムを例示する。
【図９】図９は、本開示のある態様にしたがって送信ダイバーシティを用いたＰＵＣＣＨリソース・マッピングを容易にする別のシステムを例示する。
【図１０】図１０は、本開示のある態様にしたがって送信ダイバーシティを用いたＰＵＣＣＨリソース・マッピングを容易にするシステムの例を例示する。
【図１１】図１１は、本開示のある態様にしたがって送信ダイバーシティを用いたＰＵＣＣＨリソース・マッピングを容易にする別のシステムの例を例示する。
【発明を実施するための形態】
【００１８】
本開示のさまざまな態様は、添付図面を参照して以下により十分に記載される。しかしながら、本開示は、異なる多くの形態で具体化され、本開示を通じて示されたいかなる具体的な構成または機能にも限定されると解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外が追加された構成および機能を用いて実現されるこのような装置または方法をカバーすることが意図されている。本明細書で示された開示のあらゆる態様は、特許請求の範囲の１または複数の要素によって具体化されうる。
【００１９】
「典型的である」という単語は「例、事例、あるいは実例として役立つ」ことを意味するために本明細書で使用される。本明細書において「典型的」と記載されるいかなる態様も、他の態様に対して好適であるとか、有利であると必ずしも解釈される必要はない。
【００２０】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、そのうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２１】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２２】
シングル・キャリア周波数分割多元接続（ＳＣ−ＦＤＭＡ）は、送信機側でシングル・キャリア変調を、受信機側で周波数領域等値化を利用する技術である。ＳＣ−ＦＤＭＡは、ＯＦＤＭＡシステムと同じ性能、および実質的に同じ全体的な複雑さを有する。しかしながら、ＳＣ−ＦＤＭＡ信号は、その固有のシングル・キャリア構造のために、より低い平均ピーク対電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰ  ＬＴＥおよびイボルブドＵＴＲＡにおけるアップリンク多元接続スキームのための動作前提である。
【００２３】
アクセス・ポイント（“ＡＰ”）は、ノードＢ、ラジオ・ネットワーク・コントローラ（“ＲＮＣ”）、イボルブド・ノードＢ（“ｅＮｏｄｅＢ”または“ｅＮＢ”）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、または、実現されうるか、または、備えうる。
【００２４】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器（“ＵＥ”）、ユーザ局、またはその他いくつかの用語として知られているか、または、実現されうるか、または、備えうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２５】
図１に示すように、１つの態様にしたがった多元接続無線通信システムが例示される。アクセス・ポイント１００（ＡＰ）は、１つのグループはアンテナ１０４、１０６を含み、別のグループはアンテナ１０８、１１０を含み、さらに別のグループはアンテナ１１２、１１４を含む複数のアンテナ・グループを含みうる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２、１１４と通信している。ここで、アンテナ１１２、１１４は、順方向リンク１２０でアクセス端末１１６へ情報を送信し、逆方向リンク１１８でアクセス端末１１６から情報を受信する。アクセス端末１２２（ＡＴ）はアンテナ１０６、１０８と通信している。ここで、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２６】
通信するように設計された領域および／またはアンテナのおのおののグループは、しばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００２７】
順方向リンク１２０、１２６による通信では、アクセス・ポイント１００の送信アンテナは、別のアクセス端末１１６、１２２のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２８】
図２は、複数入力複数出力（ＭＩＭＯ）システム２００における送信機システム２１０（例えば、アクセス・ポイント）および受信機システム２５０（例えば、アクセス端末）のブロック図である。送信機システム２１０では、多くのデータ・ストリーム用のトラフィック・データが、データ・ソース２１２から送信（ＴＸ）データ・プロセッサ２１４に提供される。
【００２９】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３０】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３１】
すべてのデータ・ストリームの変調シンボルはその後、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００３２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウン・コンバート）し、調整された信号をデジタル化して、サンプルを得る。さらに、これらサンプルを処理して、対応する「受信」シンボル・ストリームを提供する。
【００３４】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３５】
プロセッサ２７０は、どの事前符号化行列を使用するのかを定期的に決定する。さらに、プロセッサ２７０は、行列インデクス部およびランク値部を備えた逆方向リンク・メッセージを規定することができる。これら逆方向リンク・メッセージは、通信リンクおよび／または受信データ・ストリームに関する様々なタイプの情報を含みうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３６】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定するために、この抽出されたメッセージを処理する。
【００３７】
本開示の態様では、論理無線通信チャネルが、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）を備えうる。ページング制御チャネル（ＰＣＣＨ）は、ページング情報を転送するＤＬ論理制御チャネルである。マルチキャスト制御チャネル（ＭＣＣＨ）は、１またはいくつかのマルチキャスト・トラフィック・チャネル（ＭＴＣＨ）のための、マルチメディア・ブロードキャストおよびマルチメディア・サービス（ＭＢＭＳ）スケジューリングと、制御情報とを送信するために使用されるポイント・トゥ・マルチポイントＤＬ論理制御チャネルである。一般に、ラジオ・リソース制御（ＲＲＣ）接続を確立した後、ＭＢＭＳを受信したユーザ端末によってＭＣＣＨが使用されうる。専用制御チャネル（ＤＣＣＨ）は、専用制御情報を送信するポイント・トゥ・ポイント双方向論理制御チャネルであり、ＲＲＣ接続を有するユーザ端末によって使用される。論理トラフィック・チャネルは、ユーザ情報の転送のために、１つのユーザ端末に特化されたポイント・トゥ・ポイント双方向チャネルである専用トラフィック・チャネル（ＤＴＣＨ）を備えうる。さらに、論理トラフィック・チャネルは、トラフィック・データを送信するポイント・トゥ・マルチポイントＤＬチャネルであるマルチキャスト・トラフィック・チャネル（ＭＴＣＨ）を備えうる。
【００３８】
伝送チャネルは、ダウンリンク（ＤＬ）チャネルとアップリンク（ＵＬ）チャネルとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備えうる。ＰＣＨは、ユーザ端末における節電をサポートするために利用され（すなわち、不連続受信（ＤＲＸ）サイクルが、ネットワークによってユーザ端末へ示されうる）、セル全体にわたってブロードキャストされ、他の制御／トラフィック・チャネルのために使用されうる物理レイヤ（ＰＨＹ）リソースにマップされうる。ＵＬ伝送チャネルはランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えうる。
【００３９】
ＰＨＹチャネルは、ＤＬチャネルおよびＵＬチャネルのセットを備えうる。
【００４０】
ＤＬ  ＰＨＹチャネルは以下を備える。物理ダウンリンク共有チャネル（ＰＤＳＣＨ）、物理ブロードキャスト・チャネル（ＰＢＳＨ）、物理マルチキャスト・チャネル（ＰＭＣＨ）、物理ダウンリンク制御チャネル（ＰＤＣＣＨ）、物理ハイブリッド自動反復要求インジケータ・チャネル（ＰＨＩＣＨ）、および物理制御フォーマット・インジケータ・チャネル（ＰＣＦＩＣＨ）。ＵＬ  ＰＨＹチャネルは以下を備える。物理ランダム・アクセス・チャネル（ＰＲＡＣＨ）、物理アップリンク共有チャネル（ＰＵＳＣＨ）、および物理アップリンク制御チャネル（ＰＵＣＣＨ）。
【００４１】
態様では、シングル・キャリア波形の低ＰＡＰＲ特性を保つチャネル構造が提供される（任意の時間において、チャネルは、周波数的に隣接しているか、あるいは一定間隔で置かれている）。
【００４２】
（送信ダイバーシティを用いたＰＵＣＣＨリソース・マッピング）  
図３を参照して、態様にしたがって、送信ダイバーシティを用いた物理アップリンク制御チャネル（ＰＵＣＣＨ）リソース・マッピングのためのシステム３００が例示されている。システム３００は、基地局（例えば、図１のｅノードＢ１００）でありうる無線通信装置３０２を備えうる。これは、（例えば、図１のモバイル・デバイス１１６、１２２のうちの少なくとも１つである）少なくとも１つのモバイル・デバイス３０４と通信しうる。１つの無線通信装置３０２と１つのモバイル・デバイス３０４しか例示されていないが、システム３００は、複数の無線通信装置および／または複数のモバイル・デバイスを備えうることが理解されるべきである。
【００４３】
モバイル・デバイス３０４は、１または複数の送信アンテナを備えるマルチ送信（マルチＴｘ）モバイル・デバイスでありうる。ここでは、第１の送信アンテナ３０６と第２の送信アンテナ３０８とが例示されている。モバイル・デバイス３０４は、第１の送信アンテナ３０６と第２の送信アンテナ３０８とを用いることによって、送信ダイバーシティを実行するように構成されうる。しかしながら、いくつかの態様によれば、モバイル・デバイス３０４は、送信ダイバーシティを実行するように構成されていない。例えば、モバイル・デバイスは、第３世代パートナシップ計画ロング・ターム・イボリューション（３ＧＰＰ−ＬＴＥ）リリース８無線規格（または、単に“Ｒｅｌ−８”）によって指定されたアップリンク（ＵＬ）送信を実行するように構成されうるか、または、下位互換性を持ちうる。これらの態様によれば、モバイル・デバイス３０４の単一のアンテナのみが通信のために利用されうる。ＵＬ送信は、モバイル・デバイス３０４から無線通信装置３０２への送信リンクであり、ダウンリンク（ＤＬ）送信は、無線通信装置３０２からモバイル・デバイス３０４への送信リンクである。
【００４４】
（送信ダイバーシティが利用される場合、）送信アンテナ（例えば、第１の送信アンテナ３０６と第２の送信アンテナ３０８）にはおのおのの、直交リソースが提供されうる。例えば、第１の送信アンテナ３０６には、第１の直交リソースが提供され、第２の送信アンテナ３０８には、第２の直交リソース（例えば、２つの送信アンテナのため、複数のリソースＰＵＣＣＨ）が提供されうる。おのおのの送信アンテナ３０６、３０８は、異なる直交リソースを利用しうるものの、両送信アンテナ３０６、３０８は、同じ情報を送信しうる。
【００４５】
いくつかの態様によれば、Ｒｅｌ−８  ＰＵＣＣＨフォーマットは、ＰＵＣＣＨフォーマット１ａ／１ｂを含みうる。シングル・キャリア・システムが、ＬＴＥ（すなわち、レガシー・システムと称されるＬＴＥ  Ｒｅｌ−８）とともに適用され、マルチ・キャリア・システムが、ロング・ターム・イボリューション・アドバンスト（ＬＴＥ−Ａ）（すなわち、ＬＴＥ  Ｒｅｌ−９／Ｒｅｌ−１０）とともに適用されうる。しかしながら、開示された態様は、これらのタイプの通信システムに限定されず、他の通信システムとも適用されうることが理解されるべきである。例では、空間直交−リソース送信ダイバーシティ（ＳＯＲＴＤ）が適用されうる。ここでは、同じ変調シンボルｄ（０）が、別のアンテナのために、異なる直交リソースで送信されうる。いくつかの態様によれば、Ｒｅｌ−８  ＰＵＣＣＨフォーマットは、ＰＵＣＣＨフォーマット２／２ａ／２ｂをも含みうる。
【００４６】
いくつかの態様によれば、モバイル・デバイス３０４は、第３の送信アンテナ３１０と、少なくとも第４の送信アンテナ３１２（例えば、４つの送信アンテナのためのマルチ・リソースＰＵＣＣＨ）とを備えうる。ＵＬ  ＰＵＣＣＨの場合、モバイル・デバイス３０４は、２グループのアンテナのみが存在するように、送信アンテナのセットをグループ化しうる。例えば、第１の送信アンテナ３０６と第３の送信アンテナ３１０とがともにグループ化され、グループ３１４が形成されうる。そして、第２の送信アンテナ３０８と第４の送信アンテナ３１２とがともにグループ化され、グループ３１６が形成されうる。グループ３１４におけるおのおののアンテナは、同じ直交リソースを利用し、グループ３１６におけるおのおののアンテナは、同じ直交リソースを利用しうる。これは、グループ３１４によって利用される直交リソースとは異なる直交リソースでありうる、したがって、アンテナ仮想化を用いる２つの送信アンテナによる送信ダイバーシティ（ＴｘＤ）が適用されうる。アンテナ仮想化は、無線通信装置３０２（例えば、ｅＮＢまたは基地局）に透過的でありうる。おのおののグループにおけるアンテナは、互いに近接して位置するように例示されているが、さまざまなアンテナが、任意の位置において、モバイル・デバイス３０４に動作可能に接続されうることが理解されるべきである。
【００４７】
以下は、Ｒｅｌ−８におけるＰＵＣＣＨリソース・マッピングに関する。Ｒｅｌ−８では、サブフレーム内で、１つの送信アンテナのみがアクティブである。したがって、モバイル・デバイス３０４毎に１つの直交リソースしか利用されない。直交リソースは、（例えば、ＤＬ許可のように）物理ダウンリンク制御チャネル（ＰＤＣＣＨ）に関連付けられた信号の第１の制御チャネル要素（ＣＣＥ）にマップされうる。ＤＬ許可は、ＰＤＣＣＨがＤＬ割当メッセージを示し、ＣＣＥインデクスを備えるように符番されうる。したがって、例えば、モバイル・デバイス３０４からのＵＬ  ＡＣＫ（アクノレッジメント）送信のために適用される直交リソースは、ＰＤＣＣＨによって提示されうる。ここで、この提示は、ＤＬ許可の第１のＣＣＥインデクスに応じうる。
【００４８】
いくつかの態様によれば、モバイル・デバイス３０４へデータが送信されうる。しかしながら、ＤＬ許可も存在しないことがありうる。これは、半永続的（semi-persistent）スケジューリングまたはスケジューリング要求（ＳＲ）と称されうる。この場合、ＵＬ直交リソースは、レイヤ３（Ｌ３）シグナリングによってシグナルされうる。ＳＰＳでは、割り当てられた直交リソースは、次の直交リソースが割り当てられるまで、利用されうる。これは、いくつかの態様によれば、約１００ミリ秒毎でありうる。Ｌ３シグナリングの場合、無線通信装置３０２（例えば、ｅＮＢ）は、モバイル・デバイス３０４へ、ＰＵＣＣＨ送信のために利用されるべき１または複数の直交リソースを明示的にシグナルしうる。
【００４９】
いくつかの態様によれば、ＰＵＣＣＨリソース・インデクスは、ＤＬ割当インデクスに応じうる。サブブレームｎ−４における対応するＰＤＣＣＨを検出することによって示される物理ダウンリンク共有チャネル（ＰＤＳＣＨ）送信の場合、モバイル・デバイス３０４は、サブフレーム内のＨＡＲＱ−ＡＣＫ（ハイブリッドＡＲＱアクノレッジメント）の送信のために、ＰＵＣＣＨリソース  
【数１】
0005591927.tif 000002
【００５０】
を使用しうる。あるいは、サブフレームｎ−４におけるダウンリンクＳＰＳリリースを示すＰＤＣＣＨの場合、モバイル・デバイスは、  
【数２】
0005591927.tif 000003
【００５１】
個のリソースを使用しうる。ここで、ｎＣＣＥは、対応するダウンリンク制御情報（ＤＣＩ）割当の送信のために使用される第１のＣＣＥの数であり、  
【数３】
0005591927.tif 000004
【００５２】
は、高次レイヤによって設定されうる。対応するＰＤＣＣＨが、サブフレームｎ−４において検出されない場合のＰＤＳＣＨ送信の場合、  
【数４】
0005591927.tif 000005
【００５３】
の値は、高次レイヤ設定にしたがって決定されうる。
【００５４】
図４は、態様にしたがって、送信ダイバーシティを用いたＰＵＣＣＨリソース・マッピングのための別のシステム４００を例示する。このシステム４００は、基地局（例えば、ｅＮＢ）でありうる無線通信装置４０２と、複数の送信アンテナ４０６、４０８を備える少なくとも１つのモバイル・デバイス４０４とを備えうる。
【００５５】
フォーマット１ａ／１ｂのためのＰＵＣＣＨリソース・マッピングの場合、ＳＯＲＴＤが適用されていると、送信アンテナ４０６−４０８のおのおのに、１つの直交リソースが割り当てられるので、複数の直交リソースが必要とされる。ＰＤＣＣＨ（例えば、ＤＬ許可）が存在し、ＰＤＣＣＨが、複数のＣＣＥにわたる場合、少なくとも２つの異なる解決策が適用されうる。１つの態様では、おのおののＣＣＥは、異なる直交リソースにマップし（例えば、おのおののＣＣＥが、マッピング・インデクスを備え）、したがって、モバイル・デバイス４０４において、複数の直交リソースが、決定されうる。
【００５６】
別の態様では、第１の直交リソースが、ＰＤＣＣＨの第１のＣＣＥにマップされ、このリソースが、Ｒｅｌ−８仕様にしたがって、モバイル・デバイスにおいて導出されうる。残りの直交リソースは、高次レイヤ設定によって決定されうる。したがって、無線通信装置４０２は、ＰＤＣＣＨに関連付けられた信号をモバイル・デバイス４０４へ送信するように構成されたＰＤＣＣＨコミュニケータ４１０を備えうる。無線通信装置４０２の直交リソース割当部４１２は、ＰＤＣＣＨの第１のＣＣＥに、第１の直交リソースをマップしうる。直交リソース割当部４１２はまた、高次レイヤ設定４１４によって決定された残りの直交リソースをもマップしうる。
【００５７】
態様では、無線通信装置４０２におけるチャネル推定を高めるために、異なる送信における異なるＰＵＣＣＨリソースが、サブフレーム内の同じリソース・ブロック（ＲＢ）を占有しうる。例えば、第１の時間スロットでは、第１の送信アンテナ４０６が、ＲＢ０を利用し、第２の送信アンテナ４０８が、ＲＢ４９を利用しうる。第２の時間スロットでは、第１の送信アンテナ４０６がＲＢ４９を利用し、第２の送信アンテナ４０８がミラー・ホッピングを用いてＲＢ０を利用しうる。
【００５８】
典型的な場合では、２つの送信アンテナ４０６、４０８のために、２つの直交リソースが必要とされ、第１の直交リソースは、リソース・インデクス０によって定義されうる。これは、ＤＬ許可において、第１のＣＣＥへマップされうる。第２の直交リソースは、必要な場合、高次レイヤ設定によって、準静的に定義されうる。したがって、（例えば、ＤＬ許可のような）ＰＤＣＣＨへのリソース・リンクは、高次レイヤ設定によって定義されたリソースよりも動的でありうる。さらに、おのおののリソースのために利用されねばならないアンテナは、無線通信装置４０２とモバイル・デバイス４０４との両方に知られうる。これによって、無線通信装置４０２は、モバイル・デバイス４０４からのＵＬを復号しうる。第１の直交リソースは、高次レイヤ設定によって定義され、第２の直交リソースは、ＰＤＣＣＨによって定義されうることが理解されるべきである。
【００５９】
いくつかの態様によれば、ＰＤＣＣＨが存在し、ＰＤＣＣＨが１つのＣＣＥまでにしかわたらないのであれば、第１の直交リソースが、ＰＤＣＣＨの第１のＣＣＥへマップされうる一方、残りの直交リソースは、高次レイヤ設定によって決定されうる。あるいは、いくつかの態様によれば、第１の直交リソースが、高次レイヤ設定によって決定され、第２の直交リソースが、ＰＤＣＣＨの第１のＣＣＥへマップされうる。
【００６０】
いくつかの態様によれば、半永続的スケジューリングの場合、ＰＤＣＣＨは存在しないことがありうる。この状況では、複数の直交リソースが、高次レイヤ設定４１４によって決定されうる。
【００６１】
いくつかの態様によれば、無線通信装置４０２（例えばｅＮＢ）は、ＰＵＣＣＨ送信ダイバーシティを「オン」または「オフ」するための十分な柔軟性を有しうる。例えば、モバイル・デバイス４０４が、送信ダイバーシティを利用する必要がない（例えば、モバイル・デバイス４０４が、高い送信電力を有している）状況がありうる。この状況では、リソースを節約するために、送信ダイバーシティが「オフ」とされうる（例えば、さらなるオーバヘッドを必要としうる送信ダイバーシティを達成するために、少なくとも２つの直交リソースが利用されうる）。したがって、無線通信装置４０２は、送信ダイバーシティを選択的に「オン」または「オフ」するように構成されたセレクタ４１６を備えうる。送信ダイバーシティをオフするために、セレクタ４１６によって利用されうる少なくとも４つの異なるオプションが存在する。
【００６２】
１つの態様では、１つのＣＣＥにしかわたらないＰＤＣＣＨフォーマットが利用されうる。モバイル・デバイス４０４が、１つのＣＣＥにしかわたらないＰＤＣＣＨフォーマットを受信した場合、モバイル・デバイス４０４は、１つの送信アンテナのみが利用されるべきであること（例えば、１つのみの直交リソースが利用されうること）に気付きうる。別の態様では、高次レイヤ設定４１４が、モバイル・デバイス４０４に対して、１つのみの送信アンテナを使用するように指示しうる。
【００６３】
さらに別の態様では、セレクタ４１６は、送信ダイバーシティが「オン」であるか「オフ」であるかを示すために、ＤＬ割当メッセージ（例えば、ＰＤＣＣＨペイロード）に単一のビットを配置しうる。この場合、送信ダイバーシティのステータスが、明示的に示されうる。
【００６４】
また別の態様では、送信ダイバーシティがオンであるかオフであるかを示すために、セレクタ４１６が、巡回冗長検査（ＣＲＣ）マスキングまたはスクランブリング符号を適用しうる。モバイル・デバイス４０４は、ＤＬ割当に適用されたスクランブリングを復号するか、および／または、ＣＲＣデマスキングを実行するために構成されたデスクランブラ４１８を備えうる。例えば、無線通信装置４０２は、送信ダイバーシティがオフであることを示すために、第１のスクランブリング符号を利用する一方、送信ダイバーシティがオンであることを示すために、第２のスクランブリング符号が使用されうる（あるいは、その逆も可能である）。この場合、デスクランブラ４１８は、１回目は第１のスクランブリング符号を用いて、２回目は第２のスクランブリング符号を用いて、ＤＬ割当を２回復号することを要求されうる。どのスクランブリング符号がＵＬ割当を正しく復号したかに依存して、どの送信ダイバーシティがオンまたはオフであるかが判定されうる。同様の方式で、第１のＣＲＣマスキングは、送信ダイバーシティがオンであることを示し、第２のＣＲＣマスキングは、送信ダイバーシティがオフであることを示しうる（またはその逆も可能である）。
【００６５】
いくつかの態様によれば、送信ダイバーシティを用いたＰＵＣＣＨリソース・マッピングが、フォーマット１（すなわち、スケジューリング要求）、フォーマット２（すなわち、チャネル品質インジケータ（ＣＱＩ））、フォーマット２ａ（すなわち、ＣＱＩ＋１ビット  アクノレッジメント（ＡＣＫ））、および／または、フォーマット２ｂ（すなわち、ＣＱＩ＋２ビット  ＡＣＫ）のためにイネーブルされうる。この態様では、高次レイヤ設定４１４によって、複数の直交リソースが決定されうる。さらに、無線通信装置４０２は、追加の直交リソース（単数または複数）を設定しないことによって、ＰＵＣＣＨ送信ダイバーシティをオン／オフするように構成されうる。
【００６６】
システム４００は、無線通信装置４０２に動作可能に接続されたメモリ４２０を備えうる。メモリ４２０は、無線通信装置４０２の外部の存在しうる。あるいは、無線通信装置４０２の内部の存在しうる。メモリ４２０は、ダウンリンク制御チャネル（例えば、ＰＤＣＣＨ）に関連付けられた信号を送信することに関連する命令群を格納しうる。ダウンリンク制御チャネルは、リソース要素（ＲＥ）の少なくとも１つのグループにわたりうる。ここで、ＲＥのグループは、１つのＣＣＥを備えうる。メモリ４２０はさらに、第１の直交リソースをＰＤＣＣＨの第１のＣＣＥへマップすることと、モバイル・デバイスによって使用されるべき少なくとも第２の直交リソースをモバイル・デバイスへシグナルすることと、に関連する命令群を格納しうる。いくつかの態様によれば、メモリ４２０は、１つのＣＣＥにしかわたらないＰＤＣＣＨフォーマットを用いることによって、送信ダイバーシティをオフすることに関連するさらなる命令群を保持しうる。別の態様によれば、メモリ４２０はさらに、送信ダイバーシティがオンであることを示すために、ダウンリンク割当における単一のビットをアクティブにすること、または、送信ダイバーシティがオフであることを示すために、このビットを非アクティブにすること、に関連する命令群を保持しうる。さらに別の態様によれば、メモリ４２０はさらに、送信ダイバーシティのステータスを示すために、ダウンリンク割当においてＣＲＣマスキングまたはスクランブリングを利用することに関連する命令群を保持しうる。
【００６７】
少なくとも１つのプロセッサ４２２は、通信ネットワークにおけるリソース・マッピングに関連する情報の分析を容易にするために、無線通信装置４０２（および／またはメモリ４２０）に動作可能に接続されうる。プロセッサ４２２は、無線通信装置４０２によって受信された情報の分析および／または生成に特化されたプロセッサ、システム４００の１または複数の構成要素を制御しうるプロセッサ、および／または、モバイル・デバイス４０４によって受信された情報の分析および生成の両方と、システム４００の１または複数の構成要素の制御とを行うことが可能なプロセッサでありうる。
【００６８】
いくつかの態様によれば、プロセッサ４２２は、送信ダイバーシティを用いてＰＵＣＣＨリソース・マッピングを実行するように構成されうる。プロセッサ４２２は、ダウンリンク制御チャネル（例えば、ＰＤＣＣＨ）に関連付けられた信号を送信するための第１のモジュールを備えうる。ここで、ダウンリンク制御チャネルは、ＲＥの少なくとも１つのグループにわたりうる。ＲＥのグループは、例えば、ＰＤＣＣＨの１つのＣＣＥを備えうる。プロセッサ４２２はまた、ＰＤＣＣＨの第１のＣＣＥを用いることによって、第１の直交リソースを示すための第２のモジュールをも備えうる。さらに、プロセッサ４２２は、モバイル・デバイスによって使用されるべき第２の直交リソースをシグナルするための第３のモジュールと、送信ダイバーシティのステータスを変更するための第４のモジュールとを備えうる。それに加えて、プロセッサ４２２は、アップリンク制御チャネル（例えば、ＰＵＣＣＨ）に関連付けられた別の信号を受信するための第４のモジュールを備えうる。ここで、モバイル・デイバスにおいて送信ダイバーシティを達成するために、第１および第２の直交リソースを用いて、モバイル・デバイス４０４によって、その他の信号が送信されうる。
【００６９】
さらに、システム４００は、モバイル・デバイス４０４に動作可能に接続されたメモリ４２４を備えうる。メモリ４２４は、モバイル・デバイス４０４の外部に存在しうるか、あるいは、モバイル・デバイス４０４の内部に存在しうる。メモリ４２４は、ダウンリンク制御チャネル（例えば、ＰＤＣＣＨ）に関連付けられた信号を受信することに関連する命令群を格納しうる。ここで、ダウンリンク制御チャネルは、制御シグナリングのために使用されるＲＥの少なくとも１つのグループにわたりうる。ＲＥのグループは、例えば、ＰＤＣＣＨの１つのＣＣＥを備えうる。メモリ４２４はまた、ＲＥのグループに少なくとも部分的に基づいて、モバイル・デバイスの少なくとも２つのアンテナからの送信ダイバーシティのために、モバイル・デバイス４０４によって使用されるべき少なくとも２つの直交リソースを決定することに関連する命令群をも格納しうる。
【００７０】
いくつかの態様によれば、メモリ４２４はさらに、少なくとも第１の直交リソースを第１のＣＣＥから導出することと、高次レイヤ設定にしたがって、追加の直交リソースを導出することと、に関連する命令群を保持しうる。いくつかの態様によれば、メモリ４２４はさらに、送信ダイバーシティを使用するかを決定するために、ダウンリンク割当のＣＲＣデマスキングまたはデスクランブリングを用いることに関連する命令群を保持しうる。
【００７１】
少なくとも１つのプロセッサ４２６は、通信ネットワークにおけるリソース・マッピングに関連する情報の分析を容易にするために、モバイル・デバイス４０４（および／またはメモリ４２４）に動作可能に接続されうる。プロセッサ４２６は、モバイル・デバイス４０４によって受信された情報の分析、および／または、情報の生成に特化されたプロセッサ、システム４００の１または複数の構成要素を制御しうるプロセッサ、および／または、モバイル・デバイス４０４によって受信された情報の分析および情報の生成の両方と、システム４００の１または複数の構成要素の制御とを行うプロセッサでありうる。
【００７２】
いくつかの態様によれば、プロセッサ４２６は、直交リソースを決定するように構成されうる。プロセッサ４２６は、ダウンリンク制御チャネル（例えば、ＰＤＣＣＨ）に関連付けられた信号を受信するための第１のモジュールを備えうる。ここで、ダウンリンク制御チャネルは、制御シグナリングのために使用されるＲＥの少なくとも１つのグループにわたりうる。ＲＥのグループは、例えば、ＰＤＣＣＨの１つのＣＣＥを備えうる。プロセッサ４２６はまた、ＲＥのグループに少なくとも部分的に基づいて、モバイル・デバイスの少なくとも２つのアンテナからの送信ダイバーシティのために、モバイル・デバイス４０４によって使用されるべき少なくとも２つの直交リソースを決定するための第２のモジュールをも備えうる。このプロセッサ４２６はまた、ＰＤＣＣＨの第１のＣＣＥから、第１の直交リソースを決定するための第３のモジュールと、高次レイヤ設定にしたがって、追加の直交リソースを決定するための第４モジュールとを備えうる。
【００７３】
メモリ・モジュール４２０、４２４は、送信ダイバーシティを用いたＰＵＣＣＨリソース・マッピングと、無線通信装置４０２およびモバイル・デバイス４０４間の通信を制御するための動作を講じることとに関連付けられたプロトコルを格納しうる。これによって、システム４００は、本明細書に記載されたような無線ネットワークにおいて、改善された通信を達成するために、格納されたプロトコル、および／または、アルゴリズムを適用できるようになる。
【００７４】
上記に記載および図示された典型的なシステムを考慮すると、開示された主題にしたがって実現される方法は、さまざまなフローチャートを参照してより良く認識されるだろう。説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００７５】
図５は、本開示のある態様にしたがって、フォーマット１ａおよび１ｂを持つ送信ダイバーシティを用いたＰＵＣＣＨリソース・マッピングのための方法５００を例示する。この方法５００は、例えば、基地局（例えば、ｅＮＢ）によって実行されうる。この方法は、ダウンリンク制御チャネル（例えば、ＰＤＣＣＨ）に関連付けられた信号の送信がスケジュールされうる５０２において始まる。５０４では、ＰＤＣＣＨが、ＲＥの複数のグループにわたるかが判定される。ここで、ＲＥのグループは、例えば、ＰＤＣＣＨの１つのＣＣＥを備えうる。ＰＤＣＣＨが、複数のＣＣＥにわたる場合、少なくとも２つのオプションが存在しうる。オプション１の場合、方法５００は、５０６に進み、異なる直交リソースを示すことができるように、ＲＥのグループのおのおの（すなわち、おのおののＣＣＥ）が構築されうる。したがって、送信ダイバーシティを達成するために、複数の直交リソースが、モバイル・デバイスへ示されうる。
【００７６】
５０４において、ＰＤＣＣＨがＲＥの複数のグループ（すなわち、複数のＣＣＥ）にわたると判定され、オプション２が利用される場合、および／または、５０４において、判定が“ｎｏ”である場合、方法５００は、５０８に進む。５０８では、ＰＤＣＣＨのＲＥの第１のグループ（すなわち、第１のＣＣＥ）が、１つの直交リソースを示すことができるように構築されうる。５１０では、高次レイヤ設定によって、さらなる直交リソースが割り当てられうる。
【００７７】
５１２では、ダウンリンク制御チャネル（例えば、ＰＤＣＣＨ）に関連付けられた信号が、モバイル・デバイスへ送信されうる。ここで、ダウンリンク制御チャネルは、ＲＥの少なくとも１つのグループにわたりうる。ここで、ＲＥのグループは、モバイル・デバイスによって使用されるべき第１の直交リソースを示しうる。５１４では、モバイル・デバイスによって使用されるべき第２の直交リソースが、モバイル・デバイスに示されうる。
【００７８】
いくつかの態様によれば、５１６において、送信ダイバーシティが、選択的にオンまたはオフされうる。モバイル・デバイスのリンク・バジェット（例えば、パフォーマンス）が良好である場合、送信ダイバーシティをオフすることによって、リソースが節約されうる。この場合、５１６において、ＰＵＣＣＨ送信ダイバーシティをオン／オフするために少なくとも４つのオプションが存在しうる。第１のオプションは、１つのＣＣＥにしかわたらないＰＤＣＣＨフォーマットを使用することでありうる。第２のオプションは、特に送信ダイバーシティが高次レイヤ設定によってオン／オフされる場合、モバイル・デバイスに通知することでありうる。第３のオプションは、送信ダイバーシティがオンであるかオフであるかを示すために、ＤＬ割当において単一のビットを使用することでありうる。第４のオプションは、送信ダイバーシティがオンであるかオフであるかを示すために、ＤＬ割当においてＣＲＣマスキングまたはスクランブリングを使用することでありうる。
【００７９】
図６は、本開示のある態様にしたがって、送信ダイバーシティを用いたＰＵＣＣＨリソース・マッピングのための方法６００を例示する。フォーマット１ａおよび１ｂの場合、方法６００は、半永続的スケジューリングを用いる６０２で始まる。半永続的スケジューリングの場合、何れのＰＤＣＣＨも存在しないことがありうる。フォーマット１、２、２ａ、および／または２ｂの場合、方法６００は、６０４で始まる。フォーマット１はスケジューリング要求であり、フォーマット２はＣＱＩであり、フォーマット２ａはＣＱＩ＋１ビット  ＡＣＫであり、フォーマット２ｂはＣＱＩ＋２ビット  ＡＣＫである。
【００８０】
方法６００は（６０２または６０４から）６０６に進み、複数の直交リソースが、高次レイヤ設定によってスケジュールされうる。いくつかの態様によれば、送信ダイバーシティが、選択的にオン／オフされうる。フォーマット１ａおよび１ｂの場合、送信ダイバーシティは、図５に関して上述された４つのオプションに基づいて、選択的にオン／オフされうる。フォーマット１、２、２ａ、および／または、２ｂの場合、送信ダイバーシティは、ｅＮＢが、さらなる直交リソースを設定しない場合、６０８において、ｅＮＢによって選択的にオン／オフされうる。
【００８１】
いくつかの態様によれば、コンピュータ・プログラム製品は、方法５００および／または方法６００のさまざまな態様を実行するためのコードを備える、コンピュータ読取可能な媒体を備えうる。このコンピュータ読取可能な媒体は、ダウンリンク制御チャネル（例えば、ＰＤＣＣＨ）に関連付けられた信号をモバイル・デバイスへ送信するための第１のコード・セットを備えうる。ここで、ダウンリンク制御チャネルは、ＲＥの少なくとも１つのグループにわたりうる。ＲＥのグループは、モバイル・デバイスによって使用されるべき第１の直交リソースを示しうる。ＲＥのグループは、ＰＤＣＣＨの１つのＣＣＥを備えうることが理解されるべきである。コンピュータ読取可能な媒体はさらに、送信ダイバーシティを達成するために、コンピュータに対して、モバイル・デバイスによって使用されるべき第２の直交リソースをモバイル・デバイスへシグナルさせるための第２のコード・セットを備えうる。さらには、コンピュータに対して、送信ダイバーシティのステータス（例えば、オンまたはオフ）を変更させるための第３のコード・セットも含まれうる。
【００８２】
図７は、態様にしたがって、送信ダイバーシティを用いたＰＵＣＣＨリソース・マッピングのための方法７００を例示する。方法７００は例えば、モバイル・デバイスによって実行されうる。方法７００は、７０２において、ダウンリンク制御チャネル（例えば、ＰＤＣＣＨ）に関連付けられた信号が受信されたかを判定することによって始まる。例えば、ＰＤＣＣＨは、半永続的スケジューリングの場合には存在しないことがありえる。７０２において、信号が受信されたとの判定（“ＹＥＳ”）がなされたのであれば、７０４において、シグナリングのために使用されるＰＤＣＣＨがＲＥの複数のグループにわたるかの判定がなされうる。例えば、ＲＥのグループは、ＰＤＣＣＨの１つのＣＣＥを備えうる。
【００８３】
ＰＤＣＣＨが、ＲＥの複数のグループ（すなわち、複数のＣＣＥ）にわたる場合、２つのオプションが利用可能でありうる。第１のオプションの場合、７０６において、おのおのの直交リソースが、異なるＲＥのグループ（すなわち、異なるＣＣＥ）に基づいて決定されうる。そして、モバイル・デバイスにおいて送信ダイバーシティが適用されうる。第２のオプションの場合（または、ＰＤＣＣＨがＲＥの複数のグループにまでわたらない場合）（“ＮＯ”）、７０８において、第１の直交リソースが、ＲＥの第１のグループ（すなわち、第１のＣＣＥ）に基づいて決定されうる。７１０では、高次レイヤ設定にしたがって、さらなる直交リソースが決定されうる。
【００８４】
７０２において、ダウンリンク制御チャネル（すなわち、ＰＤＣＣＨ）に関連付けられた信号が受信されていないと判定されると（“ＮＯ”）、方法７００は、７１０に進み、高次レイヤ設定にしたがって、直交リソースが決定されうる。さらに、フォーマット１（スケジューリング要求）、フォーマット２（ＣＱＩ）、フォーマット２ａ（ＣＱＩ＋１ビット  ＡＣＫ）、およびフォーマット２ｂ（ＣＱＩ＋２ビット  ＡＣＫ）の場合、複数の直交リソースが、高次レイヤ設定によって決定されうる。
【００８５】
いくつかの態様によれば、方法７００は、７１２において、送信ダイバーシティを選択的に使用しうる。なぜなら、ｅＮＢ（例えば、基地局）は、送信ダイバーシティのステータスを選択的に変更しうる（例えば、オンまたはオフしうる）からである。例えば、モバイル・デバイスが、高い送信電力を有している場合、送信ダイバーシティは必要ではなく、リソースを節約するために、オフされうる。７１２では、１つのみのＣＣＥまでしかわたらないＰＤＣＣＨフォーマットが受信された場合に、送信ダイバーシティを使用することが決定されうる。別のオプションは、高次レイヤ設定に応じて、送信ダイバーシティが選択される。さらなるオプションは、ＤＬ割当における単一のビットが、送信ダイバーシティがオンであるかオフであるかを示す。別のオプションによれば、送信ダイバーシティがオンであるかオフであるかを示すために、ＤＬ割当におけるＣＲＣマスキングまたはスクランブリングが使用されうる。この場合、方法７００は、送信ダイバーシティのステータス（たとえば、オンであるかオフであるか）を判定するために、２つのデスクランブリング動作および／または２つのデマスキング動作を実行する必要がありうる。
【００８６】
いくつかの態様によれば、コンピュータ・プログラム製品は、方法７００のさまざまな態様を実行するためのコードを備える、コンピュータ読取可能な媒体を備えうる。コンピュータ読取可能な媒体は、コンピュータに対して、ダウンリンク制御チャネル（たとえば、ＰＤＣＣＨ）に関連付けられた信号を受信させるための第１のコード・セットを備えうる。ここで、ダウンリンク制御チャネルは、制御シグナリングのために使用されるＲＥの少なくとも１つのグループにわたりうる。例えば、ＲＥのグループは、ＰＤＣＣＨの１つのＣＣＥを備えうる。コンピュータ読取可能な媒体はまた、コンピュータに対して、モバイル・デバイスの少なくとも２つのアンテナからの送信ダイバーシティを達成するために、コンピュータに対して、モバイル・デバイスによって使用されるべき少なくとも２つの直交リソースを、ＲＥのグループに少なくとも部分的に基づいて決定させるための第２のコード・セットを備えうる。
【００８７】
図８に示すように、開示された態様のうちの１または複数にしたがって、送信ダイバーシティを用いたＰＵＣＣＨリソース・マッピングを容易にするシステム８００が例示されている。システム８００は、ユーザ・デバイス内に存在しうる。システム８００は、例えば受信アンテナから信号を受信しうる受信構成要素８０２を備えうる。受信構成要素８０２は、受信した信号について、例えば、フィルタリング、増幅、ダウン・コンバート等のような一般的な動作を実行しうる。受信構成要素８０２はまた、この調整された信号をデジタル化して、サンプルを取得しうる。復調器８０４は、おのおののシンボル周期について受信シンボルを取得するのみならず、受信シンボルをプロセッサ８０６に提供する。
【００８８】
プロセッサ８０６は、受信構成要素８０２によって受信された情報の分析、および／または、送信機８０８による送信のための情報の生成に特化されたプロセッサでありうる。それに加えて、あるいは、その代わりに、プロセッサ８０６は、ユーザ・デバイス８００の１または複数の構成要素の制御、受信構成要素８０２によって受信された情報の分析、送信機８０８による送信のための情報の生成、および／または、ユーザ・デバイス８００の１または複数の構成要素の制御をしうる。プロセッサ８０６は、さらなるユーザ・デバイスとの通信を調整することができるコントローラ要素を備えうる。
【００８９】
ユーザ・デバイス８００はさらに、プロセッサ８０６に動作可能に接続されたメモリ８１０を備えうる。メモリ８１０は、通信を調整することに関連する情報、および、その他任意の適切な情報を格納しうる。メモリ８１０は、さらに、リソース・マッピングに関連付けられたプロトコルを格納しうる。本明細書に記載されたデータ格納構成要素（例えば、メモリ）は、揮発性メモリまたは不揮発性メモリの何れかであるか、あるいは、揮発性メモリと不揮発性メモリとの両方を備えうることが認識されるだろう。限定するのではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを備えうる。揮発性メモリは、外部キャッシュ・メモリとして動作するランダム・アクセス・メモリ（ＲＡＭ）を備えうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能でありうる。さまざまな態様のメモリ８１０は、限定される訳ではないが、これらおよびその他任意の適切なタイプのメモリを備えることが意図される。ユーザ・デバイス８００はさらに、シンボル変調器８１２を備えうる。ここで、送信機８０８は、変調された信号を送信する。
【００９０】
図９は、本明細書に示されたさまざまな態様にしたがって、送信ダイバーシティを用いてＰＵＣＣＨリソース・マッピングを容易にする別のシステム９００の例示である。システム９００は、基地局またはアクセス・ポイント９０２を備えうる。図示されるように、基地局９０２は、受信アンテナ９０６によって１または複数の通信デバイス９０４（例えば、ユーザ・デバイス）から信号（単数または複数）を受信し、送信アンテナ９０８によって１または複数の通信デバイス９０４に送信する。
【００９１】
基地局９０２は、受信アンテナ９０６から情報を受信する受信機９１０を備えうる。この受信アンテナ９０６は、受信した情報を復調する復調器９１２に動作可能に関連付けられている。復調されたシンボルは、リソース・マッピングに関連する情報を格納しうるメモリ９１６に接続されたプロセッサ９１４によって分析されうる。変調器９１８は、送信機９２０による送信アンテナ９０８を介した通信デバイス９０４への送信のために信号を多重化しうる。
【００９２】
図１０を参照して、態様にしたがって、送信ダイバーシティを用いたＰＵＣＣＨリソース・マッピングを容易にするシステム１０００の例が例示される。システム１０００は、モバイル・デバイス内に少なくとも部分的に存在しうる。システム１０００は、ハードウェア、ソフトウェア、またはこれらの組み合わせ（例えば、ファームウェア）によって実現される機能を表す機能ブロックでありうる機能ブロックを含むものとして表されていることが認識されるべきである。
【００９３】
システム１０００は、個別または連携して動作しうる電子構成要素の論理グループ１００２を備えうる。論理グループ１００２は、ダウンリンク制御チャネル（例えば、ＰＤＣＣＨ）に関連付けられた信号を受信するための電子構成要素１００４を備えうる。ここで、ダウンリンク制御チャネルは、制御シグナリングのために使用されるＲＥの少なくとも１つのグループにわたりうる。ＲＥのグループは、ＰＤＣＣＨの１つのＣＣＥを備えうることが理解されるべきである。さらに、論理グループ１００２には、ＰＤＣＣＨが、ＲＥの複数のグループ（すなわち、複数のＣＣＥ）にわたるかを判定するための電子構成要素１００６が含まれる。さらに、論理グループ１００２は、モバイル・デバイスの少なくとも２つのアンテナからの送信ダイバーシティを達成するために、コンピュータに対して、モバイル・デバイスによって使用されるべき少なくとも２つの直交リソースを、ＲＥのグループに少なくとも部分的に基づいて決定するための電子構成要素１００８を備えうる。いくつかの態様によれば、電子構成要素１００８は、ＲＥの第１のグループ（すなわち、ＰＤＣＣＨの第１のＣＣＥ）に基づいて、第１の直交リソースを決定し、高次レイヤ設定にしたがって、追加の直交リソースを決定しうる。
【００９４】
さらに、システム１０００は、電子構成要素１００４、１００６、１００８、またはその他の構成要素に関連付けられた機能を実行するための命令群を保持するメモリ１０１０を含みうる。メモリ１０１０の外側にあるとして示されているが、電子構成要素１００４、１００６、１００８のうちの１または複数は、メモリ１０１０内に存在しうることが理解されるべきである。
【００９５】
図１１を参照して、態様にしたがって、送信ダイバーシティを用いたＰＵＣＣＨリソース・マッピングを容易にするシステム１１００の例が例示される。例えば、システム１１００は、基地局内に少なくとも部分的に存在しうる。システム１１００は、プロセッサ、ソフトウェア、またはこれらの組み合わせ（例えば、ファームウェア）によって実現される機能を表す機能ブロックでありうる機能ブロックを含むものとして表されうることが認識されるべきである。
【００９６】
システム１１００は、個別または連携して動作する電子構成要素の論理グループ１１０２を含む。論理グループ１１０２は、ダウンリンク制御チャネル（例えば、ＰＤＣＣＨ）に関連付けられた信号をモバイル・デバイスへ送信するための電子構成要素１１０４を含みうる。ダウンリンク制御チャネルは、ＲＥの少なくとも１つのグループにわたりうる。ＲＥのグループは、ＰＤＣＣＨの１つのＣＣＥを備えうることが理解されるべきである。また、論理グループ１１０２には、ＲＥのグループ（例えば、ＰＤＣＣＨの第１のＣＣＥ）を用いて第１の直交リソースを示すための電子構成要素１１０６と、モバイル・デバイスによって使用されるべき少なくとも第２の直交リソースをシグナルするための電子構成要素１１０８とが含まれうる。いくつかの態様によれば、論理グループ１１０２は、送信ダイバーシティのステータスを選択的に変更する（例えば、送信ダイバーシティをアクティブにするか、非アクティブにする）ための電子構成要素１１１０を備えうる。
【００９７】
さらに、システム１１００は、電子構成要素１１０４、１１０６、１１０８、１１１０、およびその他の構成要素に関連付けられた機能を実行するための命令群を保持するメモリ１１１２を含みうる。メモリ１１１２の外部にあるとして示されているが、電子構成要素１１０４、１１０６、１１０８、１１１０の１または複数は、メモリ１１１２の内部に存在しうることが理解されるべきである。
【００９８】
いくつかの態様にしたがって、無線通信システムにおいて使用される方法が提供される。この方法は、以下に示す方法の動作を実現するために、コンピュータ読取可能格納な媒体に格納されたコンピュータ実行可能な命令群を、プロセッサが実行することを適用することを備えうる。この方法は、ダウンリンク制御チャネル（例えば、ＰＤＣＣＨ）に関連付けられた信号をモバイル・デバイスへ送信することを備えうる。ここで、ダウンリンク制御チャネルは、リソース要素（ＲＥ）の少なくとも１つのグループにわたりうる。ここで、ＲＥのグループは、モバイル・デバイスによって使用されるべき第１の直交リソースを示しうる。ＲＥのグループは、例えば、ＰＤＣＣＨの１つのＣＣＥを備えうる。この方法はまた、モバイル・デバイスによって使用されるべき第２の直交リソースをシグナルすることを備えうる。それに加えて、この方法は、モバイル・デバイスのパフォーマンスに応じて、送信ダイバーシティを選択的にアクティブにするか、または、非アクティブにすることを備えうる。
【００９９】
態様によれば、無線通信システムにおいて動作可能な装置がある。この装置は、ダウンリンク制御チャネル（例えば、ＰＤＣＣＨ）に関連付けられた信号をモバイル・デバイスへ送信するための手段を備える。ここで、ダウンリンク制御チャネルは、リソース要素（ＲＥ）の少なくとも１つのグループにわたりうる。ここで、ＲＥのグループは、モバイル・デバイスによって使用されるべき第１の直交リソースを示しうる。ＲＥのグループは、例えば、ＰＤＣＣＨの１つのＣＣＥを備えうる。この装置はまた、モバイル・デバイスによって使用されるべき第２の直交リソースをシグナルするための手段を備えうる。それに加えて、この装置は、送信ダイバーシティのステータスを選択的に変更するための手段を備えうる。
【０１００】
いくつかの態様によれば、無線通信システムにおいて使用される方法が提供される。この方法は、以下に示す方法の動作を実現するために、コンピュータ読取可能格納な媒体に格納されたコンピュータ実行可能な命令群を、プロセッサが実行することを適用することを備えうる。この方法は、ダウンリンク制御チャネル（例えば、ＰＤＣＣＨ）に関連付けられた信号を受信することを備えうる。ここで、ダウンリンク制御チャネルは、制御シグナリングのために使用されるリソース要素（ＲＥ）の少なくとも１つのグループにわたりうる。ＲＥのグループは、例えば、ＰＤＣＣＨの１つのＣＣＥを備えうる。この方法はまた、モバイル・デバイスの少なくとも２つのアンテナからの送信ダイバーシティを達成するために、モバイル・デバイスによって使用されるべき少なくとも２つの直交リソースを、ＲＥのグループに少なくとも部分的に基づいて決定することを備えうる。
【０１０１】
いくつかの態様によれば、無線通信システムにおいて動作可能な装置が提供される。この装置は、ダウンリンク制御チャネル（例えば、ＰＤＣＣＨ）に関連付けられた信号を受信する手段を備えうる。ここで、ダウンリンク制御チャネルは、制御シグナリングのために使用されるリソース要素（ＲＥ）からなる少なくとも１つのグループにわたりうる。ＲＥのグループは、例えば、ＰＤＣＣＨの１つのＣＣＥを備えうる。この装置はまた、モバイル・デバイスの少なくとも２つのアンテナからの送信ダイバーシティのために、モバイル・デバイスによって使用されるべき少なくとも２つの直交リソースを、ＲＥのグループに少なくとも部分的に基づいて決定する手段を備えうる。
【０１０２】
開示された処理のステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【０１０３】
当業者であれば、情報および信号は、さまざまな異なる技術および技法のうちの何れかを用いて表されうることを理解するであろう。例えば、上記記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【０１０４】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとのこの相互置換性を明確に例示するために、例示的なさまざまな構成要素、ブロック、モジュール、回路、およびステップが、これらの機能の観点から一般に上述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【０１０５】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサはマイクロプロセッサでありうるが、代替例では、このプロセッサは、従来の任意のプロセッサ、コントローラ、マイクロコントローラ、または順序回路でありうる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。
【０１０６】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術で周知のその他任意の形態の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【０１０７】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴に一致した最も広い範囲に相当することが意図されている。
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴に一致した最も広い範囲に相当することが意図されている。
以下に本願発明の当初の特許請求の範囲に記載された発明を付記する。
［Ｃ１］
無線通信のための方法であって、
ダウンリンク制御チャネルに関連付けられた信号を送信することと、ここで、前記ダウンリンク制御チャネルは、リソース要素（ＲＥ）の少なくとも１つのグループに及ぶ、ここで、前記ＲＥの少なくとも１つのグループは、ユーザ機器（ＵＥ）によって使用されるべき第１の直交リソースを示す、
前記ＵＥによって使用されるべき第２の直交リソースをシグナルすることと、を備える方法。
［Ｃ２］
アップリンク制御チャネルに関連付けられた別の信号を受信することをさらに備え、ここで、前記別の信号は、送信ダイバーシティを達成するために、前記第１および第２の直交リソースを用いて、前記ＵＥによって送信される、Ｃ１に記載の方法。
［Ｃ３］
前記ＲＥの少なくとも１つのグループは、物理ダウンリンク制御チャネル（ＰＤＣＣＨ）の制御チャネル要素（ＣＣＥ）を備える、Ｃ１に記載の方法。
［Ｃ４］
送信ダイバーシティを使用するのかを前記ＵＥにシグナルすることをさらに備える、Ｃ１に記載の方法。
［Ｃ５］
前記送信ダイバーシティを使用するのかを前記ＵＥにシグナルすることは、
前記ＵＥに送信された割当メッセージにスクランブリング符号を適用することと、
前記ＵＥに送信された割当メッセージに巡回冗長検査（ＣＲＣ）マスキングを適用することと、のうちの１つを備える、Ｃ４に記載の方法。
［Ｃ６］
前記送信ダイバーシティを使用するのかを前記ＵＥにシグナルすることは、前記ＵＥによって使用されるべき１または複数の直交リソースを明示的にシグナルすることを備える、Ｃ４に記載の方法。
［Ｃ７］
無線通信のための装置であって、
ダウンリンク制御チャネルに関連付けられた信号を送信する手段と、ここで、前記ダウンリンク制御チャネルは、リソース要素（ＲＥ）の少なくとも１つのグループに及ぶ、ここで、前記ＲＥの少なくとも１つのグループは、ユーザ機器（ＵＥ）によって使用されるべき第１の直交リソースを示す、
前記ＵＥによって使用されるべき第２の直交リソースをシグナルする手段と、を備える装置。
［Ｃ８］
アップリンク制御チャネルに関連付けられた別の信号を受信することをさらに備え、ここで、前記別の信号は、送信ダイバーシティを達成するために、前記第１および第２の直交リソースを用いて、前記ＵＥによって送信される、Ｃ７に記載の装置。
［Ｃ９］
前記ＲＥのグループは、物理ダウンリンク制御チャネル（ＰＤＣＣＨ）の制御チャネル要素（ＣＣＥ）を備える、Ｃ７に記載の装置。
［Ｃ１０］
送信ダイバーシティを使用するのかを前記ＵＥにシグナルする手段をさらに備える、Ｃ８に記載の装置。
［Ｃ１１］
前記送信ダイバーシティを使用するのかを前記ＵＥにシグナルする手段は、
前記ＵＥに送信された割当メッセージにスクランブリング符号を適用する手段と、
前記ＵＥに送信された割当メッセージに巡回冗長検査（ＣＲＣ）マスキングを適用する手段と、のうちの１つを備えるＣ１０に記載の装置。
［Ｃ１２］
前記送信ダイバーシティを使用するのかを前記ＵＥにシグナルする手段は、前記ＵＥによって使用されるべき１または複数の直交リソースを明示的にシグナルする手段を備える、Ｃ１０に記載の装置。
［Ｃ１３］
無線通信のための装置であって、
ダウンリンク制御チャネルに関連付けられた信号を送信し、ここで、前記ダウンリンク制御チャネルは、リソース要素（ＲＥ）の少なくとも１つのグループに及ぶ、ここで、前記ＲＥの少なくとも１つのグループは、ユーザ機器（ＵＥ）によって使用されるべき第１の直交リソースを示す、
前記ＵＥによって使用されるべき第２の直交リソースをシグナルするように構成された少なくとも１つのプロセッサと、
前記少なくとも１つのプロセッサに接続されたメモリと、を備える装置。
［Ｃ１４］
前記少なくとも１つのプロセッサはさらに、アップリンク制御チャネルに関連付けられた別の信号を受信するように構成され、ここで、前記別の信号は、送信ダイバーシティを達成するために、前記第１および第２の直交リソースを用いて、前記ＵＥによって送信される、Ｃ１３に記載の装置。
［Ｃ１５］
前記ＲＥのグループは、物理ダウンリンク制御チャネル（ＰＤＣＣＨ）の制御チャネル要素（ＣＣＥ）を備える、Ｃ１３に記載の装置。
［Ｃ１６］
前記少なくとも１つのプロセッサはさらに、送信ダイバーシティを使用するのかを前記ＵＥにシグナルするように構成された、Ｃ１３に記載の装置。
［Ｃ１７］
前記少なくとも１つのプロセッサはさらに、
前記ＵＥに送信された割当メッセージにスクランブリング符号を適用することと、
前記ＵＥに送信された割当メッセージに巡回冗長検査（ＣＲＣ）マスキングを適用することと、のうちの１つを実行するように構成された、Ｃ１６に記載の装置。
［Ｃ１８］
前記少なくとも１つのプロセッサはさらに、前記ＵＥによって使用されるべき１または複数の直交リソースを明示的にシグナルするように構成された、Ｃ１６に記載の装置。
［Ｃ１９］
１または複数のプロセッサによって実行可能な、格納された命令群を有するコンピュータ読取可能媒体を備える、無線通信のためのコンピュータ・プログラム製品であって、前記命令群は、
ダウンリンク制御チャネルに関連付けられた信号を送信するための命令群と、ここで、前記ダウンリンク制御チャネルは、リソース要素（ＲＥ）の少なくとも１つのグループに及ぶ、ここで、前記ＲＥのグループは、ユーザ機器（ＵＥ）によって使用されるべき第１の直交リソースを示す、
前記ＵＥによって使用されるべき第２の直交リソースをシグナルするための命令群と、を備えるコンピュータ・プログラム製品。
［Ｃ２０］
前記命令群はさらに、アップリンク制御チャネルに関連付けられた別の信号を受信するための命令群をさらに備え、ここで、前記別の信号は、送信ダイバーシティを達成するために、前記第１および第２の直交リソースを用いて、前記ＵＥによって送信される、Ｃ１９に記載のコンピュータ・プログラム製品。
［Ｃ２１］
前記ＲＥのグループは、物理ダウンリンク制御チャネル（ＰＤＣＣＨ）の制御チャネル要素（ＣＣＥ）を備える、Ｃ１９に記載のコンピュータ・プログラム製品。
［Ｃ２２］
前記命令群はさらに、送信ダイバーシティを使用するのかを前記ＵＥにシグナルするための命令群を備える、Ｃ１９に記載のコンピュータ・プログラム製品。
［Ｃ２３］
前記送信ダイバーシティを使用するのかを前記ＵＥにシグナルするための命令群はさらに、
前記ＵＥに送信された割当メッセージにスクランブリング符号を適用するための命令群と、
前記ＵＥに送信された割当メッセージに巡回冗長検査（ＣＲＣ）マスキングを適用するための命令群と、のうちの１つを備える、Ｃ２２に記載のコンピュータ・プログラム製品。
［Ｃ２４］
前記送信ダイバーシティを使用するのかを前記ＵＥにシグナルするための命令群はさらに、前記ＵＥによって使用されるべき１または複数の直交リソースを明示的にシグナルするための命令群を備える、Ｃ２２に記載のコンピュータ・プログラム製品。
［Ｃ２５］
無線通信のための方法であって、
ダウンリンク制御チャネルに関連付けられた信号を受信することと、ここで、前記ダウンリンク制御チャネルは、制御シグナリングのために使用されるリソース要素（ＲＥ）の少なくとも１つのグループに及ぶ、
前記ＲＥの少なくとも１つのグループに少なくとも部分的に基づいて、少なくとも２つのアンテナからの送信ダイバーシティのために使用される少なくとも２つの直交リソースを決定することと、を備える方法。
［Ｃ２６］
前記少なくとも２つの直交のリソースを決定することはさらに、高次レイヤ構成に基づく、Ｃ２５に記載の方法。
［Ｃ２７］
前記少なくとも２つの直交リソースを用いて、前記少なくとも２つのアンテナから、アップリンク制御チャネルに関連付けられた別の信号を送信することをさらに備える、Ｃ２５に記載の方法。
［Ｃ２８］
前記ＲＥの少なくとも１つのグループは、物理ダウンリンク制御チャネル（ＰＤＣＣＨ）の制御チャネル要素（ＣＣＥ）を備える、Ｃ２５に記載の方法。
［Ｃ２９］
無線通信のための装置であって、
ダウンリンク制御チャネルに関連付けられた信号を受信する手段と、ここで、前記ダウンリンク制御チャネルは、制御シグナリングのために使用されるリソース要素（ＲＥ）の少なくとも１つのグループに及ぶ、
前記ＲＥの少なくとも１つのグループに少なくとも部分的に基づいて、少なくとも２つのアンテナからの送信ダイバーシティのために使用される少なくとも２つの直交リソースを決定する手段と、を備える装置。
［Ｃ３０］
前記少なくとも２つの直交のリソースを決定することはさらに、高次レイヤ構成に基づく、Ｃ２９に記載の装置。
［Ｃ３１］
前記少なくとも２つの直交リソースを用いて、前記少なくとも２つのアンテナから、アップリンク制御チャネルに関連付けられた別の信号を送信する手段をさらに備える、Ｃ２９に記載の装置。
［Ｃ３２］
前記ＲＥの少なくとも１つのグループは、物理ダウンリンク制御チャネル（ＰＤＣＣＨ）の制御チャネル要素（ＣＣＥ）を備える、Ｃ２９に記載の装置。
［Ｃ３３］
無線通信のための装置であって、
ダウンリンク制御チャネルに関連付けられた信号を受信し、ここで、前記ダウンリンク制御チャネルは、制御シグナリングのために使用されるリソース要素（ＲＥ）の少なくとも１つのグループに及ぶ、
前記ＲＥのグループに少なくとも部分的に基づいて、少なくとも２つのアンテナからの送信ダイバーシティのために使用される少なくとも２つの直交リソースを決定するように構成された少なくとも１つのプロセッサと、
前記少なくとも１つのプロセッサに接続されたメモリと、を備える装置。
［Ｃ３４］
前記少なくとも２つの直交のリソースを決定することはさらに、高次レイヤ構成に基づく、Ｃ３３に記載の装置。
［Ｃ３５］
前記少なくとも１つのプロセッサはさらに、前記少なくとも２つの直交リソースを用いて、前記少なくとも２つのアンテナから、アップリンク制御チャネルに関連付けられた別の信号を送信するように構成された、Ｃ３３に記載の装置。
［Ｃ３６］
前記ＲＥの少なくとも１つのグループは、物理ダウンリンク制御チャネル（ＰＤＣＣＨ）の制御チャネル要素（ＣＣＥ）を備える、Ｃ３３に記載の装置。
［Ｃ３７］
１または複数のプロセッサによって実行可能な、格納された命令群を有するコンピュータ読取可能媒体を備える、無線通信のためのコンピュータ・プログラム製品であって、
前記命令群は、
ダウンリンク制御チャネルに関連付けられた信号を受信するための命令群と、ここで、前記ダウンリンク制御チャネルは、制御シグナリングのために使用されるリソース要素（ＲＥ）の少なくとも１つのグループに及ぶ、
前記ＲＥのグループに少なくとも部分的に基づいて、少なくとも２つのアンテナからの送信ダイバーシティのために使用される少なくとも２つの直交リソースを決定するための命令群と、を備えるコンピュータ・プログラム製品。
［Ｃ３８］
前記少なくとも２つの直交のリソースを決定することはさらに、高次レイヤ構成に基づく、Ｃ３７に記載のコンピュータ・プログラム製品。
［Ｃ３９］
前記命令群はさらに、前記少なくとも２つの直交リソースを用いて、前記少なくとも２つのアンテナから、アップリンク制御チャネルに関連付けられた別の信号を送信するための命令群を備える、Ｃ３７に記載のコンピュータ・プログラム製品。
［Ｃ４０］
前記ＲＥの少なくとも１つのグループは、物理ダウンリンク制御チャネル（ＰＤＣＣＨ）の制御チャネル要素（ＣＣＥ）を備える、Ｃ３７に記載のコンピュータ・プログラム製品。
【図１】
0005591927.tif 000006
【図２】
0005591927.tif 000007
【図３】
0005591927.tif 000008
【図４】
0005591927.tif 000009
【図５】
0005591927.tif 000010
【図６】
0005591927.tif 000011
【図７】
0005591927.tif 000012
【図８】
0005591927.tif 000013
【図９】
0005591927.tif 000014
【図１０】
0005591927.tif 000015
【図１１】
0005591927.tif 000016